(57)【要約】【課題】所要の生活目的に応じてどの部屋などの住エリアが好適なのかあるいは不適なのかを報知することを可能とする。【解決手段】家の部屋とこの家に付随した屋外施設により構成される住エリアの住環境を検出する位置に設置され、温度と湿度を少なくとも含む住環境データを検出する住環境センサ部１００と、検出された住環境データに基づき、各住エリアについて所定の生活目的に対して好適か否かの度合いを取得する取得手段２１と、前記取得手段２１により得られる度合情報に基づき、各住エリアの所定生活目的に対する住環境の好適度不適度のメッセージを作成し、送信するメッセージ作成送信手段２２とを具備する。【選択図】図１
2020013221.tif 000002
【特許請求の範囲】
【請求項１】
家の部屋とこの家に付随した屋外施設により構成される住エリアの住環境を検出する位置に設置され、温度と湿度を少なくとも含む住環境データを検出する住環境センサ部と、
検出された住環境データに基づき、各住エリアについて所定の生活目的に対して好適か否かの度合いを取得する取得手段と、
前記取得手段により得られる度合情報に基づき、各住エリアの所定生活目的に対する住環境の好適度不適度のメッセージを作成し、送信するメッセージ作成送信手段と
を具備することを特徴とする住環境報知装置。
【請求項２】
住環境センサ部には、温度センサ、湿度センサの他、水分センサ、気圧センサ、風量センサ、においセンサ、花粉センサ、ＰＭ２．５センサ、照度センサの少なくとも１つが含まれることを特徴とする請求項１に記載の住環境報知装置。
【請求項３】
前記取得手段は、住環境センサ部の検出対象毎に好適度または不適度を求め、この好適度または不適度に対する演算処理を行って前記所定の生活目的に対して好適度または不適度を求めることを特徴とする請求項１または２に記載の住環境報知装置。
【請求項４】
住環境センサ部により得られる住環境データに基づき、メンバシップ関数を作成するメンバシップ関数作成手段を備え、
前記取得手段は、住環境センサ部の検出対象毎のメンバシップ関数に基づき、好適度または不適度を求め、この好適度または不適度に対する演算処理を行って前記所定の生活目的に対して好適度または不適度を求めることを特徴とする請求項３に記載の住環境報知装置。
【請求項５】
前記取得手段は、所要の検出対象に対応する好適度または不適度に重み付けを行って演算処理を行うことを特徴とする請求項３または４に記載の住環境報知装置。
【請求項６】
前記メッセージ作成送信手段は、住エリア毎に、メッセージを作成することを特徴とする請求項１乃至５のいずれか１項に記載の住環境報知装置。
【請求項７】
前記メッセージ作成送信手段は、住エリアに順位を付けて、メッセージを作成することを特徴とする請求項１乃至６のいずれか１項に記載の住環境報知装置。
【請求項８】
生活目的が洗濯乾燥であることを特徴とする請求項１乃至７のいずれか１項に記載の住環境報知装置。
【請求項９】
前記住環境センサ部からの環境データを受けて環境が悪化したことを検出し、メッセージ作成送信手段に環境悪化のメッセージを作成させる環境悪化検出手段を具備することを特徴とする請求項１乃至８のいずれか１項に記載の環境報知装置。
【請求項１０】
家の部屋とこの家に付随した屋外施設により構成される住エリアの住環境を検出する位置に設置され、温度と湿度を少なくとも含む住環境データを検出する住環境センサ部により検出された住環境データを用いて住環境報知を行うコンピュータを、
前記住環境センサ部により検出された住環境データに基づき、各住エリアについて所定の生活目的に対して好適か否かの度合いを取得する取得手段と、
前記取得手段により得られる度合情報に基づき、各住エリアの所定生活目的に対する住環境の好適度不適度のメッセージを作成し、送信するメッセージ作成送信手段
として機能させることを特徴とする住環境報知用プログラム。
【請求項１１】
住環境センサ部には、温度センサ、湿度センサの他、水分センサ、気圧センサ、風量センサ、においセンサ、花粉センサ、ＰＭ２．５センサ、照度センサの少なくとも１つが含まれることを特徴とする請求項１０に記載の住環境報知用プログラム。
【請求項１２】
前記取得手段は、住環境センサ部の検出対象毎に好適度または不適度を求め、この好適度または不適度に対する演算処理を行って前記所定の生活目的に対して好適度または不適度を求めることを特徴とする請求項１０または１１に記載の住環境報知用プログラム。
【請求項１３】
前記コンピュータを、住環境センサ部により得られる住環境データに基づき、メンバシップ関数を作成するメンバシップ関数作成手段として機能させ、
前記コンピュータを前記取得手段として、住環境センサ部の検出対象毎のメンバシップ関数に基づき、好適度または不適度を求め、この好適度または不適度に対する演算処理を行って前記所定の生活目的に対して好適度または不適度を求めるように機能させることを特徴とする請求項１２に記載の住環境報知用プログラム。
【請求項１４】
前記コンピュータを前記取得手段として、所要の検出対象に対応する好適度または不適度に重み付けを行って演算処理を行うように機能させることを特徴とする請求項１２または１３に記載の住環境報知用プログラム。
【請求項１５】
前記コンピュータを前記メッセージ作成送信手段として、住エリア毎に、メッセージを作成するように機能させることを特徴とする請求項１０乃至１４のいずれか１項に記載の住環境報知用プログラム。
【請求項１６】
前記コンピュータを前記メッセージ作成送信手段として、住エリアに順位を付けて、メッセージを作成するように機能させることを特徴とする請求項１０乃至１５のいずれか１項に記載の住環境報知用プログラム。
【請求項１７】
生活目的が洗濯乾燥であることを特徴とする請求項１０乃至１６のいずれか１項に記載の住環境報知用プログラム。
【請求項１８】
前記コンピュータを、前記住環境センサ部からの環境データを受けて環境が悪化したことを検出し、メッセージ作成送信手段に環境悪化のメッセージを作成させる環境悪化検出手段として機能させることを特徴とする請求項１０乃至１７のいずれか１項に記載の環境報知用プログラム。
【請求項１９】
請求項１乃至９のいずれか１項に記載の住環境報知装置と、
前記住環境報知装置から送信されたメッセージを出力する情報出力装置と
を具備することを特徴とする住環境報知システム。
【請求項２０】
情報出力装置は、メッセージを表示する表示手段と、メッセージを音声出力する音声出力手段との少なくとも一方を備えることを特徴とする請求項１９に記載の住環境報知システム。
【請求項２１】
情報出力装置が複数備えられ、複数の部屋に情報出力装置が配置されることを特徴とする請求項１９または２０に記載の住環境報知システム。
【発明の詳細な説明】
【技術分野】
【０００１】
この発明は、住環境を報知することが可能な住環境報知装置に関するものである。
【背景技術】
【０００２】
家の中においても部屋によって、更には家に付随した屋外施設を含めた住エリアによっては、住環境が異なることから、生活目的によってどの部屋が好適なのかあるいは不適なのかを報知がなされると便利である。
【０００３】
具体的には、洗濯物を乾燥させるためには、通常はベランダが好適であるが、雨天の場合や花粉の飛散、ＰＭ２．５の到来などを考慮すると、いつも同じ場所が好適であるとは限らない。
【０００４】
特許文献１には、洗濯物の乾燥時間を推測するシステムが開示されている。また、特許文献２には、洗濯物を乾燥するときにユーザが重視する条件の設定を行い、また、洗濯物を乾燥するときのユーザ及び環境に関する条件を設定し、これらの設定された情報から条件に適合する洗濯物の乾燥方法を提示することが開示されている。
【０００５】
また、特許文献３には、住環境についてチェックリスト方式で情報を送り、専門家の住環境診断を受けるようにした住環境健康診断方法が開示されている。
【０００６】
更に、特許文献４には、複数種の住環境センサを設けて、火災、ガス漏れ、水漏れ、喚起、防犯などの警報を発生させるシステムが開示されている。
【先行技術文献】
【特許文献】
【０００７】
【特許文献１】特開２０１６‐４９４２１号公報
【特許文献２】国際公開第２０１７／２２１４０４号
【特許文献３】特開２００６‐１２００６１号公報
【特許文献４】特開２００４‐１４６８７２号公報
【発明の概要】
【発明が解決しようとする課題】
【０００８】
以上の通り、従来においては、生活目的によってどの部屋が好適なのかあるいは不適なのかを報知するものは皆無と言ってよい状況である。本発明の目的は、所要の生活目的に応じてどの部屋などの住エリアが好適なのかあるいは不適なのかを報知することが可能な住環境報知装置を提供することである。
【課題を解決するための手段】
【０００９】
本発明の実施形態に係る住環境報知装置は、家の部屋とこの家に付随した屋外施設により構成される住エリアの住環境を検出する位置に設置され、温度と湿度を少なくとも含む住環境データを検出する住環境センサ部と、検出された住環境データに基づき、各住エリアについて所定の生活目的に対して好適か否かの度合いを取得する取得手段と、前記取得手段により得られる度合情報に基づき、各住エリアの所定生活目的に対する住環境の好適度不適度のメッセージを作成し、送信するメッセージ作成送信手段とを具備することを特徴とする。
【図面の簡単な説明】
【００１０】
【図１】本発明に係る住環境報知システムの実施形態の構成を示すブロック図。
【図２】本発明に係る住環境報知システムの実施形態の要部である住環境センサ部の構成を示すブロック図。
【図３】本発明に係る住環境報知システムの実施形態の要部である装置本体部の構成を示すブロック図。
【図４】本発明に係る住環境報知システムの実施形態の要部である情報出力装置の構成を示すブロック図。
【図５】本発明に係る住環境報知システムの実施形態の要部が家において配置された状態を示す平面図。
【図６】本発明に係る住環境報知システムの第１の実施形態の要部である装置本体部の主メモリ内の構成を示すブロック図。
【図７】本発明に係る住環境報知システムの実施形態において作成される好適度に対応するメンバシップ関数の７例を示す図。
【図８】本発明に係る住環境報知システムの実施形態において作成される不適度に対応するメンバシップ関数の２例を示す図。
【図９】本発明に係る住環境報知システムの第１の実施形態の動作を示すフローチャート。
【図１０】本発明に係る住環境報知システムの第１の実施形態において放置されたメッセージの一例を示す図。
【図１１】本発明に係る住環境報知システムの第２の実施形態の要部である装置本体部の主メモリ内の構成を示すブロック図。
【図１２】本発明に係る住環境報知システムの第２の実施形態において放置されたメッセージの一例を示す図。
【図１３】本発明に係る住環境報知システムの第３の実施形態の要部である装置本体部の主メモリ内の構成を示すブロック図。
【発明を実施するための形態】
【００１１】
以下、本発明の実施形態に係る住環境報知装置、住環境報知用プログラム及び住環境報知システムを説明する。各図において、同一の構成要素には、同一の符号を付して重複する説明を省略する。図１には、本発明の実施形態に係る住環境報知装置及び住環境報知システムの構成図が示されている。
【００１２】
住環境報知装置１０は、住環境センサ部１００と、装置本体部２００とから構成されている。住環境センサ部１００は、家の部屋とこの家に付随した屋外施設により構成される住環境を検出する位置に設置されるものである。この住環境センサ部１００は、温度と湿度を少なくとも含む住環境データを検出するものである。
【００１３】
装置本体部２００は、サーバ等のコンピュータシステムにより構成され、検出された住環境データに基づき、各住エリアについて所定の生活目的に対して好適か否かの度合いを取得する取得手段２１、上記取得手段２１により得られる度合情報に基づき、各住エリアの所定生活目的に対する住環境の好適度不適度のメッセージを作成し、送信するメッセージ作成送信手段２２を備える。
【００１４】
住環境報知システム２０は、装置本体部２００以外に、上記住環境報知装置１０の装置本体部２００から送信されたメッセージを出力する情報出力装置３００を備えるものである。情報出力装置３００は、１台であっても良いが、通常は複数台設けられる。
【００１５】
住環境センサ部１００の第１の実施形態は、図２に示されるように構成される。即ち、この住環境センサ部１００を統括制御するマイコン部１１０を中心として構成され、温度センサ１２１、湿度センサ１２２、水分センサ１２３、気圧センサ１２４、風量センサ１２５、においセンサ１２６、花粉センサ１２７、ＰＭ２．５センサ１２８が備えられている。ここに挙げたセンサは一例であり、これ以外に照度センサ等を備えても良い。また、少なくとも温度センサ１２１、湿度センサ１２２を備え、他は適宜選択的に備えるようにしても良い。水分センサ１２３は、洗濯物を挟んで２電極間のインピーダンスに基づき洗濯物の水分量を求めるために用いられる。この他に、埃検出用の埃センサや、紫外線検出用の紫外線センサなどを備えても良い。
【００１６】
上記センサには、アンプ１３０が接続され、このアンプ１３０は各センサにより取得された信号を増幅して出力する。アンプ１３０から出力された信号はＡ／Ｄ変換器１４０によりディジタル信号とされてマイコン部１１０により取り込まれて送信部１５０へ送られる。送信部１５０では信号を送信用に変換して有線または無線により送信する。
【００１７】
住環境センサ部１００には、電池１６０が備えられ、この電池１６０から各部へ電力供給が行われる。住環境センサ部１００は、例えば、洗濯バサミの形状を有するセンサクリップとすることができる。このセンサクリップは、異なる色のものが用意され、住エリア毎に異なる色のものを用いても良い。
【００１８】
装置本体部２００は、サーバ等のコンピュータシステムであり、例えば図３に示すように構成される。ＣＰＵ２１０が、主メモリ２２０に記憶されたプログラムやデータを用いて、既に説明した取得手段２１とメッセージ作成送信手段２２として動作するものであり、ＣＰＵ２１０から延びるバス２３０に、外部記憶コントローラ２４１、入力コントローラ２４２、表示コントローラ２４３、受信コントローラ２４４、送受信コントローラ２４５、ネットワークコントローラ２４６が接続されている。
【００１９】
外部記憶コントローラ２４１には、プログラムやデータが記憶され、また到来したデータを保存しておくための外部記憶装置２５１が接続されている。入力コントローラ２４２には、キーボードやマウス、その他、データやコマンドを入力するための入力部２５２が接続されている。表示コントローラ２４３には、ＬＥＤやＬＣＤ等により構成される情報を表示する表示部２５３が接続されている。受信コントローラ２４４には、住環境センサ部１００から送信されるデータを受信するための有線または無線の受信部２５４が接続されている。
【００２０】
送受信コントローラ２４５には、情報出力装置３００との間において情報を送受信するための有線または無線の送受信部２５５が接続されている。ネットワークコントローラ２４６には、ネットワークから天気予報情報等をダウンロード等するためのネットワークインタフェース２５６が接続されている。
【００２１】
情報出力装置３００は、情報出力が可能な構成を有する端末装置として機能するものであればよく、例えば、スマートフォン、ＰＤＡ（パーソナルディジタルアシスタント）、ＡＩスピーカ、パーソナルコンピュータ等によって構成することができ、図４に示す構成を採用することができる。
【００２２】
図４に示されるように情報出力装置３００は、ＣＰＵ３１０が、主メモリ３２０に記憶されたプログラムやデータを用いて、各部を統括制御する。ＣＰＵ３１０からはバス３３０が延びており、バス３３０には、表示コントローラ３４１、スピーカコントローラ３４２、入力コントローラ３４３、音声コントローラ３４４、送受信コントローラ３４５が備えられている。
【００２３】
表示コントローラ３４１には、ＬＥＤやＬＣＤ等により構成される情報を表示する表示部３５１が接続されている。スピーカコントローラ３４２には、音声出力を行うためのスピーカ３５２が接続されている。入力コントローラ３４３には、タッチパネルやキーボードなどの入力部３５３が接続されている。音声コントローラ３４４には、音声入力を行うためのマイクロフォン３５４が接続されている。音声コントローラ３４４は、マイクロフォン３５４から入力された音声を認識して、ＣＰＵ３１０へ送る。送受信コントローラ３４５には、装置本体部２００との間で情報を送受信するための有線または無線の送受信部３５５が接続されている。この送受信部３５５によって、装置本体部２００の送受信部２５５を介して装置本体部２００とデータの送受を行うことができる。
【００２４】
以上のように構成された住環境センサ部１００、装置本体部２００、情報出力装置３００は、例えば図５に示されるように家の各住エリアに配置することができる。この家には、リビング、部屋Ａ、部屋Ｂ、脱衣所、浴室、家に付随した屋外施設としてのベランダが設けられているとする。本実施形態は、住環境センサ部１００をリビング、部屋Ａ、部屋Ｂ、ベランダ、脱衣所、浴室に配置した例である。装置本体部２００、情報出力装置３００をリビングに配置しているが、他の場所であっても良い。更に、家に付随した屋外施設として、バルコニーや洗濯干し家屋などがある場合には、それらの場所にも住環境センサ部１００や情報出力装置３００が設けられても良い。
【００２５】
本実施形態では、取得手段２１が各住エリアについて所定の生活目的に対して好適か否かの度合いを取得するものであるが、この生活目的が洗濯乾燥である。生活目的としては、洗濯乾燥は一例であり、睡眠、体操、読書、リラックス、仕事等であっても良い。取得手段２１は、住環境センサ部１００の検出対象毎に好適度または不適度を求め、この好適度または不適度に対する演算処理を行って上記所定の生活目的である洗濯乾燥に対して好適か否かの度合いを取得する。
【００２６】
本実施形態では、図６に示すように、主メモリ２２０に、住環境センサ部１００により得られる住環境データに基づき、メンバシップ関数を作成するメンバシップ関数作成手段４３を備えている。前述の取得手段２１とメッセージ作成送信手段２２も、主メモリ２２０のプログラムを実行することにより実現される。メンバシップ関数は、住環境センサ部１００の各センサにより得られるデータの値を引数として、この引数のときに好適と不適の間（１と０との間）のどのグレードに属するかを決定する関数であり、温度、湿度、水分、気圧、風量、におい、花粉、ＰＭ２．５のそれぞれについて作成する。
【００２７】
温度、湿度、水分、気圧、風量、におい、花粉、ＰＭ２．５の測定値（引数）に対する好適度（お薦め度）のグレードのメンバシップ関数の例を図７（ａ）〜（ｇ）に示す。ここで、「におい」については乾燥した場合の所謂「太陽のにおい」を例とするが、カビのにおいなどの悪臭を「におい」としても良く、検知対象のにおいに応じて、複数種類のにおいセンサを用いてそれぞれのメンバシップ関数を作成しても良い。なお本実施形態では、図７（e）に示すように、「におい」に関するメンバシップ関数の単位をppmとした。これは、「におい」には世界共通の単位はなく、「におい」の種類によっても様々な単位が用いられ、明確な単位がないので、主に化学物質の「におい」に用いられるppmを例示したものである。
【００２８】
なお、湿度のメンバシップ関数は、相対湿度０％を１とし、相対湿度１００％を０とする相対湿度のメンバシップ関数である。相対湿度の定義は、気象庁の「湿度」説明によれば「普通は相対湿度で、相対湿度は水蒸気量とそのときの気温における飽和水蒸気量との比を百分率で表したもの」とされる。従って、相対湿度には温度の要素が含まれるため、温度のメンバシップ関数を用いなくとも良い。温度については、特徴関数（ステップ関数）を用いて、例えば摂氏１８度以上では好適であり、摂氏１８度未満では不適としても良い。
【００２９】
また、風量については、風速が大きくなると、洗濯物が飛ばされるため、本実施形態では１０．７（ｍ／ｓ）を境に好適度を低下させている。メンバシップ関数の作成に当たっては、ユーザにより不適となったときに入力を行ってもらい、境界の風量を求めるようにしても良い。この場合には、メンバシップ関数が台形状となる場合もあり得る。また、メンバシップ関数の作成は、実際の洗濯物の水分を水分センサ１２３で測定してインピーダンスが所定値以下となったときのメンバシップ関数の対象のセンサの値を収集して、例えば、ディープラーニングなどの機械学習を用いて作成するようにしても良い。また、システムの運用当初においては、デフォルトのメンバシップ関数を外部記憶装置２５１へ記憶しておき、これを用いながら徐々に作成して行くようにしても良い。また、上記機械学習によって、典型的な洗濯物（例えば、平均的な厚みと大きさのタオル等）の乾燥までの時間を予測し、データベース化しておいて、住エリアの好適度または不適度が得られたとき、対応する乾燥予測時間をメッセージに含めてメッセージ作成を行っても良い。
【００３０】
上記では、測定値（引数）に対する好適度（お薦め度）のグレードのメンバシップ関数の例を示したが、測定値（引数）に対する不適度（お薦めしない度）のグレードのメンバシップ関数を作成して用いるようにしても良い。図８に、相対湿度とＰＭ２．５に関する、不適度（お薦めしない度）のグレードのメンバシップ関数の例を示す。
【００３１】
上記のようなメンバシップ関数を用いる場合には、上記取得手段２１は、住環境センサ部の検出対象毎のメンバシップ関数に基づき、好適度または不適度を求め、この好適度または不適度に対する演算処理を行って上記所定の生活目的に対して好適か否かの度合いを取得する。
【００３２】
ここで、演算処理は、最も簡単であるのは、各センサにより得られた住環境データに対するメンバシップ関数や特徴関数のグレード値を加算し、予め設定されている閾値よりも大きい値か閾値以下であるかに基づき好適と不適を決定するものを採用することができる。この場合には、グレードは１〜０までの値であるから、センサ数をｎとすると閾値をｎ／２とすることができる。また、各センサにより得られた住環境データに対するメンバシップ関数や特徴関数のグレード値の平均値を求め、閾値と比較する演算を用いても良い。この場合には、閾値は１／２を採用することができる。なお、特徴関数は、閾値を境にしてグレードが０と１に明確に区分される関数である。
【００３３】
上記の閾値を用いずに、上記加算値や平均値を演算結果として、メッセージ作成送信手段２２が上記値に対応付けられたメッセージを作成するように構成することもできる。また、典型的な洗濯物（例えば、平均的な厚みと大きさのタオル等）の乾燥までの時間と、上記加算値や平均値を対応付けて記憶しておき、これをメッセージ作成に用いても良い。
【００３４】
上記の演算の場合には、所要の検出対象に対応する好適度または不適度に重み付けを行って演算処理を行うようにしても良い。例えば、花粉やＰＭ２．５に弱い（或いは嫌いな）ユーザは、装置本体部２００の入力部２５２や情報出力装置３００の入力部３５３やマイクロフォン３５４から入力を行って装置本体部２００へ対応情報（コマンド）を送ることにより、花粉やＰＭ２．５の重みを付けるように指示することができ、これによって重み付けが行われる。
【００３５】
上記の場合、測定値（引数）に対する好適度（お薦め度）のグレードを低下させる方向へ重み付けを行い、測定値（引数）に対する不適度（お薦めしない度）のグレードを上昇させる方向へ重み付けを行う。
【００３６】
上記取得手段２１の処理を受けてメッセージ作成送信手段２２は、上記取得手段２１により得られる度合情報に基づき、各住エリアの所定生活目的に対する住環境の好適度不適度のメッセージを作成する。本実施形態では、生活目的が洗濯乾燥であるから、各住エリアが洗濯乾燥にとって好適であるか不適であるかの程度をメッセージとすることができる。また、各住エリアに順位を付けて、メッセージを作成するようにしても良い。
【００３７】
以上の通りに構成された住環境報知システムにおいては、装置本体部２００のＣＰＵ２１０が主メモリ２２０に呼び出された図９のフローチャートに対応するプログラムを実行することにより住環境報知が行われるので、このフローチャートに基づき動作説明を行う。
【００３８】
スタートとなり、センサ部１００の各センサから環境データを取り込む（Ｓ１１）。取り込んだ環境データに対応するメンバシップ関数や特徴関数を用いて好適度または不適度を取得する（Ｓ１２）。次に、上記で求めた好適度または不適度に基づき生活目的である洗濯乾燥に対する住環境の好適度不適度のメッセージを作成する（Ｓ１３）。更に、上記ステップＳ１３において作成したメッセージを情報出力装置３００へ送信して（Ｓ１４）、ステップＳ１１へ戻って処理を続ける。
【００３９】
上記メッセージの送信を受けた情報出力装置３００では、例えば表示部２５３に例えば図１０に示すような画像のメッセージを表示する。ここでは、洗濯物干し場として、住エリアである「浴室」が順位１位である旨のメッセージが表示されている。この浴室では、前述の平均的なタオルの乾燥予測時間が３時間であること、温度、相対湿度、風量、におい、花粉、ＰＭ２．５の測定値がメッセージとして表示されている。更に、ネットワークから得た天気予報情報がメッセージとして表示されている。
【００４０】
図１１に、第２の実施形態に係る住環境報知装置の要部構成図を示す。住環境報知装置の構成図は、第１の実施形態の構成である図３に示したものと同一である。図１１に示されるように、主メモリ２２０には、取得手段２１とメッセージ作成送信手段２２以外に、環境悪化検出手段２３が備えられている。環境悪化検出手段２３は、住環境センサ部１００からの環境データを受けて環境が悪化したことを検出し、メッセージ作成送信手段２２に環境悪化のメッセージを作成させる。
【００４１】
本実施形態でも、生活目的が洗濯乾燥であり、洗濯物に生乾き臭等が発生するような環境変化を報知する。このため、においセンサ１２６に酸性の臭気等の生乾き臭を検出するものを採用するか、乾燥時間（乾燥を始めてからの経過時間）検出し、水分センサ１２３により洗濯物が乾燥したインピーダンスが検出されぬまま、所定閾値以上の時間となった場合（不乾燥終了という）或いは、過去におい不乾燥終了となったデータを蓄積しておき、水分センサ１２３の検出値が所定時間以上同じ経過を辿った場合には、環境悪化のメッセージを作成させる。
【００４２】
情報出力装置３００の表示部２５３に例えば図１２に示すような画像のメッセージを表示するように、メッセージ作成送信手段２２が動作する。即ち、このメッセージは、「衣類乾燥状況」というタイトルと、洗濯物が現在干されている住エリアを示す「ベランダ」と、上方向が良好な乾燥度である上記ベランダにおける時系列乾燥曲線と、環境悪化のメッセージ、天気予報などから構成される。環境悪化のメッセージには、環境悪化した住エリアの代替住エリアの情報が含まれる。本実施形態によれば、洗濯物を別の場所へ移したり、場合によっては再度洗濯をやり直したりすることにより、洗濯物が雨に濡れたり、洗濯物が使用できなくなったりするなどの最悪の状況を防ぐことができる。本実施形態では、第１の実施形態の処理は当然行われるものとする。
【００４３】
図１３に第３の実施形態に係る住環境報知装置の要部構成図を示す。住環境報知装置の構成図は、第１の実施形態の構成である図３に示したものと同一である。図１２に示されるように、主メモリ２２０には、取得手段２１とメッセージ作成送信手段２２、環境悪化検出手段２３には、環境変化が生じた場合にアラートを発生させるための複数のアラート手段が備えられている。この手段としては、においアラート手段３１、雨アラート手段３２、花粉アラート手段３３、ＰＭ２．５アラート手段３４、洗濯物乾燥検出手段３５が設けられている。更に、住環境が変化する時刻を予想し、メッセージ作成送信手段２２に環境変化予測のメッセージを作成させる環境変化予測手段としての洗濯物乾燥予測手段２４が備えられる。
【００４４】
においアラート手段３１は、においセンサ１２６として酸性の臭気等の不快臭を検出するものを採用し、このにおいセンサ１２６からの検出値が所定値を超えた場合に、メッセージ作成送信手段２２に「不快臭発生」などのアラートメッセージを作成させて所要の情報出力装置３００へ送信させる。雨アラート手段３２は、気圧センサ１２４からの検出値が所定以下の値となった場合（気圧が所定以下に低くなった場合）に、メッセージ作成送信手段２２に「降雨注意」などのアラートメッセージを作成させて所要の情報出力装置３００へ送信させる。花粉アラート手段３３は、花粉センサ１２７から検出値が所定値を超えた場合に、メッセージ作成送信手段２２に「花粉飛散注意」などのアラートメッセージを作成させて所要の情報出力装置３００へ送信させる。
【００４５】
ＰＭ２．５アラート手段３４は、ＰＭ２．５センサ１２８から検出値が所定値を超えた場合に、メッセージ作成送信手段２２に「ＰＭ２．５注意」などのアラートメッセージを作成させて所要の情報出力装置３００へ送信させる。洗濯物乾燥検出手段３５は、水分センサ１２３により洗濯物が乾燥したときと同じインピーダンス値が得られた場合に、メッセージ作成送信手段２２に「洗濯物乾燥終了」などのお知らせメッセージを作成させて所要の情報出力装置３００へ送信させる。以上のアラート等のメッセージを作成するときを規定する「センサの出力値」は、予め、或いはメンバシップ関数等を作成するときに、求めてデータベース化しておくことができる。
【００４６】
また、洗濯物乾燥予測手段２４は、温度、湿度、風量のデータを収集すると共に洗濯物からの水分に対応したインピーダンスの変化と乾燥と思われるインピーダンスが得られるまでの時間をデータベース化し、このデータベースと温度、湿度、風量の実測データ及び洗濯物からの水分に対応したインピーダンスの実測値から回帰分析などにより乾燥予測時間を求め、メッセージ作成送信手段２２に「洗濯物乾燥まで○○分」などのお知らせメッセージを作成させて所要の情報出力装置３００へ送信させる。
【００４７】
以上の実施形態では、生活目的としては、洗濯乾燥であったが、これと共に、睡眠、体操、読書、リラックス、仕事等に生活目的を切換えて使用することができる。装置本体部２００の入力部２５２や情報出力装置３００の入力部３５３やマイクロフォン３５４から入力を行って装置本体部２００へ生活目的の切換情報（コマンド）を送ることにより、睡眠、体操、読書、リラックス、仕事等に生活目的を切換える。取得手段２１は、住環境センサ部１００の当該生活目的に合致する検出対象（センサ）毎に好適度または不適度の度合いを取得する。生活目的に合致するセンサを選択して環境データを得て、好適度または不適度の度合いを取得する。検出対象（センサ）毎の好適度または不適度の度合いについては、生活目的が洗濯乾燥の場合と同様にして、メンバシップ関数などを作成して、それぞれのグレードを求めて演算して１つの好適度または不適度の度合を得る。
【００４８】
メッセージ作成送信手段２２は、上記取得手段２１により得られる度合情報に基づき、各住エリアの所定生活目的に対する住環境の好適度不適度のメッセージを作成する。所定生活目的が睡眠であれば、「睡眠にはこの部屋が１番です」などのメッセージが作成されることになる。生活目的が体操であれば、「体操にはこの部屋が１番です」などのメッセージが作成される。生活目的が読書であれば、「読書にはこの部屋が１番です」などのメッセージが作成される。また、生活目的がリラックスであれば、「リラックスにはこの部屋が１番です」などのメッセージが作成される。生活目的が仕事であれば、「仕事にはこの部屋が１番です」などのメッセージが作成される。
【００４９】
上記の例では、１番の住エリアを報知するメッセージを作成するものを示したが、順位を付けて複数の住エリアを報知するメッセージを作成するようにしても良い。また、住エリアが高温になったり、紫外線量が多くなったりした場合には、環境悪化検出手段２３のアラート手段によってアラートメッセージを作成させて所要の情報出力装置３００へ送信させるようにしても良い。また上記では、好適な住エリアについてのメッセージ報知であったが、不適な住エリアについてのメッセージ報知を行うようにしても良い。また、住環境センサ部１００には、振動や音（騒音）を検出するセンサを設けても良い。また、住環境センサ部１００は、住エリア内に設けるばかりでなく、近隣への音漏れなどに関する住環境データを得るためには、家の外部に住環境センサ部１００を設けることができる。即ち、住環境センサ部１００は、家の部屋とこの家に付随した屋外施設により構成される住エリアの住環境を検出する位置に設置されるものである。
【００５０】
上記のように本実施形態では、生活目的に合わせて住環境データを検出し、各住エリアについて所定の生活目的に対して好適か否かの度合いを取得し、取得した度合情報に基づき、各住エリアの所定生活目的に対する住環境の好適度不適度のメッセージを作成し、送信するので、所要の生活目的に応じてどの部屋などの住エリアが好適なのかあるいは不適なのかを知り、快適な生活を送る支援が提供されることが期待される。
【符号の説明】
【００５１】
１０  住環境報知装置
２０  住環境報知システム
２１  取得手段
２２  メッセージ作成送信手段
２３  環境悪化検出手段
２４  洗濯物乾燥予測手段
３１  においアラート手段
３２  雨アラート手段
３３  花粉アラート手段
３４  ＰＭ２．５アラート手段
３５  洗濯物乾燥検出手段
４３  メンバシップ関数作成手段
１００  住環境センサ部
１１０  マイコン部
１２１  温度センサ
１２２  湿度センサ
１２３  水分センサ
１２４  気圧センサ
１２５  風量センサ
１２６  においセンサ
１２７  花粉センサ
１２８  ＰＭ２．５センサ
１３０  アンプ
１４０  Ａ／Ｄ変換器
１５０  送信部
１６０  電池
２００  装置本体部
２２０  主メモリ
２３０  バス
２４１  外部記憶コントローラ
２４２  入力コントローラ
２４３  表示コントローラ
２４４  受信コントローラ
２４５  送受信コントローラ
２４６  ネットワークコントローラ
２５１  外部記憶装置
２５２  入力部
２５３  表示部
２５４  受信部
２５５  送受信部
２５６  ネットワークインタフェース
３００  情報出力装置
３２０  主メモリ
３３０  バス
３４１  表示コントローラ
３４２  スピーカコントローラ
３４３  入力コントローラ
３４４  音声コントローラ
３４５  送受信コントローラ
３５１  表示部
３５２  スピーカ
３５３  入力部
３５４  マイクロフォン
３５５  送受信部
【図１】
2020013221.tif 000003
【図２】
2020013221.tif 000004
【図３】
2020013221.tif 000005
【図４】
2020013221.tif 000006
【図５】
2020013221.tif 000007
【図６】
2020013221.tif 000008
【図７】
2020013221.tif 000009
【図８】
2020013221.tif 000010
【図９】
2020013221.tif 000011
【図１０】
2020013221.tif 000012
【図１１】
2020013221.tif 000013
【図１２】
2020013221.tif 000014
【図１３】
2020013221.tif 000015